(57)【特許請求の範囲】
【請求項１】
中空部を有するロール紙を装着するペーパーフランジ装置であって、
フランジ部と、
前記フランジ部に取り付けられ、前記中空部が第１の内径を有する第１のロール紙を前記中空部の内側から保持する第１の押付部を有し、前記中空部に挿嵌される第１の案内部と、
前記中空部が前記第１の内径よりも大きい第２の内径を有する第２のロール紙を前記中空部の内側から保持する第２の押付部を有し、前記第１の案内部の外周に沿って着脱可能な第２の案内部と、
を備え、
前記第２の案内部を前記第１の案内部に装着する場合において、前記第２の押付部は、前記第１の押付部に対応する位置に設けられ、
前記第１の押付部は、前記第１のロール紙を前記中空部の内側から保持すべく付勢され、
前記第２の押付部は、前記第１の押付部が前記第１のロール紙を保持する付勢力に連動して前記第２のロール紙を保持し、
前記フランジ部に取り付けられ、一端が前記第１の案内部に嵌められ、他端が前記第１の案内部の前記フランジ部側から外側に突出するように配置されたレバーと、前記レバーを前記ロール紙の外側方向に付勢するバネとをさらに備え、
前記第１の押付部は、前記バネに付勢された前記レバーによって前記ロール紙の外側方向に付勢されることを特徴とする、ペーパーフランジ装置。
【請求項２】
前記第１の案内部は、前記中空部の延在方向に延在する溝部を有し、
前記第２の案内部は、当該第２の案内部の内側であって前記中空部の延在方向に延在する突起部を有し、
前記第２の案内部を前記第１の案内部に装着する場合において、前記突起部は前記溝部に嵌合することを特徴とする、請求項１に記載のペーパーフランジ装置。
【請求項３】
前記第１の案内部に対する前記第２の案内部の、前記中空部の延在方向の動きを規制する規制部をさらに備えることを特徴とする、請求項１または２に記載のペーパーフランジ装置。
【発明の詳細な説明】
【技術分野】
【０００１】
本発明は、内径が異なる複数のロール紙に対応するペーパーフランジ装置に関する。
【背景技術】
【０００２】
一般的に、プリンタの印刷に用いる用紙には、規定の大きさの記録紙と、ロール状に巻かれたロール紙とがある。一般的なロール紙は、中心に中空部を有しており、ロール紙のカールが大きくならないように、ある程度の内径（例えば、φ８０ｍｍ）を有している。ロール紙をプリンタに取り付ける際には、ペーパーフランジによってロール紙を保持した状態でプリンタに取り付ける。このとき、ペーパーフランジは、ロール紙の中空部を利用してロール紙を保持している。
【０００３】
ロール紙の中空部の内径は、ロール紙の材質、供給元、あるいは用途によって異なる。従って、ロール紙の各内径に合うペーパーフランジを複数種類用意するか、内径の違いに対応する機構をペーパーフランジに設ける必要があった。
【０００４】
上記の異なる内径に対応する技術として、従来、ロール状に巻かれたインクリボンの巻取軸の径を拡大または縮小させる技術が開示されている（例えば、特許文献１参照）。
【０００５】
また、ロール紙の内径の変化に合わせて、ロール紙の内径に当接する当接部材の位置を変える技術が開示されている（例えば、特許文献２参照）。
【先行技術文献】
【特許文献】
【０００６】
【特許文献１】特開２０１１−１８９５１３号公報
【特許文献２】特開２０１３−２３４０６２号公報
【発明の概要】
【発明が解決しようとする課題】
【０００７】
特許文献１では、多くのネジ等を使用した複雑な構成となっている。従って、特許文献１の技術をペーパーフランジに適用した場合において、ペーパーフランジの構成が複雑になるという問題がある。
【０００８】
また、特許文献２では、ロール紙にペーパーフランジを装着する際に、当接部材がロール紙の内径に沿うようにユーザが手動で移動させなければならず、使い勝手が悪いという問題がある。
【０００９】
本発明は、このような問題を解決するためになされたものであり、簡単な構成で使い勝手が良く、かつ異なる内径を有するロール紙に対応可能なペーパーフランジ装置を提供することを目的とする。
【課題を解決するための手段】
【００１０】
上記の課題を解決するために、本発明によるペーパーフランジ装置は、中空部を有するロール紙を装着するペーパーフランジ装置であって、フランジ部と、フランジ部に取り付けられ、中空部が第１の内径を有する第１のロール紙を中空部の内側から保持する第１の押付部を有し、中空部に挿嵌される第１の案内部と、中空部が第１の内径よりも大きい第２の内径を有する第２のロール紙を中空部の内側から保持する第２の押付部を有し、第１の案内部の外周に沿って着脱可能な第２の案内部とを備え、第２の案内部を第１の案内部に装着する場合において、第２の押付部は、第１の押付部に対応する位置に設けられ、第１の押付部は、第１のロール紙を中空部の内側から保持すべく付勢され、第２の押付部は、第１の押付部が第１のロール紙を保持する付勢力に連動して第２のロール紙を保持し、フランジ部に取り付けられ、一端が第１の案内部に嵌められ、他端が第１の案内部のフランジ部側から外側に突出するように配置されたレバーと、レバーをロール紙の外側方向に付勢するバネとをさらに備え、第１の押付部は、バネに付勢されたレバーによってロール紙の外側方向に付勢されることを特徴とする。
【発明の効果】
【００１１】
本発明によると、ペーパーフランジ装置は、中空部を有するロール紙を装着するペーパーフランジ装置であって、フランジ部と、フランジ部に取り付けられ、中空部が第１の内径を有する第１のロール紙を中空部の内側から保持する第１の押付部を有し、中空部に挿嵌される第１の案内部と、中空部が第１の内径よりも大きい第２の内径を有する第２のロール紙を中空部の内側から保持する第２の押付部を有し、第１の案内部の外周に沿って着脱可能な第２の案内部とを備え、第２の案内部を第１の案内部に装着する場合において、第２の押付部は、第１の押付部に対応する位置に設けられ、第１の押付部は、第１のロール紙を中空部の内側から保持すべく付勢され、第２の押付部は、第１の押付部が第１のロール紙を保持する付勢力に連動して第２のロール紙を保持し、フランジ部に取り付けられ、一端が第１の案内部に嵌められ、他端が第１の案内部のフランジ部側から外側に突出するように配置されたレバーと、レバーをロール紙の外側方向に付勢するバネとをさらに備え、第１の押付部は、バネに付勢されたレバーによってロール紙の外側方向に付勢されるため、簡単な構成で使い勝手が良く、かつ異なる内径を有するロール紙に対応可能となる。
【図面の簡単な説明】
【００１２】
【図１】本発明の実施の形態によるペーパーフランジ装置の構成の一例を示す断面図である。
【図２】本発明の実施の形態によるペーパーフランジ装置の構成の一例を示す斜視図である。
【図３】本発明の実施の形態によるペーパーフランジ装置の構成の一例を示す断面図である。
【図４】本発明の実施の形態による第２の案内部の構成の一例を示す斜視図である。
【図５】本発明の実施の形態による第２の案内部の構成の一例を示す断面図である。
【図６】本発明の実施の形態による第２の案内部の構成の一例を示す側面図である。
【図７】本発明の実施の形態によるリングの構成の一例を示す斜視図である。
【図８】本発明の実施の形態によるペーパーフランジ装置の構成の一例を示す斜視図である。
【図９】本発明の実施の形態による第２の案内部の構成の一例を示す断面図である。
【発明を実施するための形態】
【００１３】
本発明の実施の形態について、図面を用いて以下に説明する。
【００１４】
＜実施の形態＞
＜構成＞
まず、本実施の形態によるペーパーフランジ装置（以下、単にペーパーフランジという）を第１の内径（以下、内径φＤ１という）を有するロール紙に装着する場合について、図１，２を用いて説明する。
【００１５】
図１は、本実施の形態によるペーパーフランジ２の構成の一例を示す断面図であり、ペーパーフランジ２をロール紙１（内径φＤ１）に装着した状態を示す図である。
【００１６】
図１に示すように、ペーパーフランジ２は、大別して規制フランジ部２ａと第１の案内部２ｂとを備えている。規制フランジ部２ａは、ロール紙１の一端側に設けられ、ロール紙１の紙幅方向（Ｘ方向）の動きを規制する。第１の案内部２ｂは、ロール紙１の内径φＤ１よりも小さい外径を有する円筒形状であり、ロール紙１の中空部に挿入されている。また、図２に示すように、ペーパーフランジ１は、ペーパーフランジ２の回転軸（中空部の延在方向であって、ロール紙１の内径φＤ１の中心を通るＸ方向に延びる軸）と平行な方向に延在する溝部２ｅと、案内部２ｂの外周方向に形成された溝部２ｆを有している（詳細は後述する）。
【００１７】
第１の案内部２ｂは、規制フランジ部２ａに取り付けられ、ロール紙１の内側（ロール紙１の中空部における内壁）に対向する位置に穴部２ｃを有している。第１の押付部４は、穴部２ｃに配置され、外径が穴部２ｃよりも若干小さい。第１の押付部４には、ロール紙１の内側と当接する位置（第１の押付部４の上面）に第１の保持部４ａが貼付されている。レバー３は、第１の押付部４の側面にはめ込まれており、一端３ａが第１の案内部２ｂの凹部２ｄに嵌められ、他端３ｂが第１の案内部２ｂの規制フランジ部２ａ側から外側に突出するように配置されている。これにより、第１の押付部４は、レバー３で支持され、穴部２ｃに対してＺ方向に摺動可能となる。
【００１８】
レバー３は、Ｚ方向に移動可能であり、当該移動に連動して第１の案内部２ｂもロール紙１のＺ方向に移動可能である。第１の案内部２ｂは、レバー３に当接する圧縮バネ５を有しており、レバー３および第１の押付部４は、圧縮バネ５の付勢力によってロール紙１の外側方向（Ｚ方向）に付勢されている。
【００１９】
第１の押付部４は、ペーパーフランジ２の回転軸に対して対称となる位置に、少なくとも一対以上設けられている。一対の第１の押付部４が圧縮バネ５の付勢力によってＺ方向の最も外側に位置するとき、当該一対の第１の押付部４間の長さ（各第１の押付部４の第１の保持部４ａ間の長さ）は、ロール紙１の内径φＤ１よりも大きい。換言すれば、一対の第１の押付部４の各々は、当該一対の第１の押付部４間の長さが内径φＤ１よりも大きい位置まで移動可能である。なお、第１の押付部４が複数対設けられる場合は、穴部２ｃ、凹部２ｄ、レバー３、および圧縮バネ５も、第１の押付部４と同じ数だけ設けられる。
【００２０】
次に、ペーパーフランジ２を第２の内径（以下、内径φＤ２という）を有するロール紙に装着する場合について、図３〜９を用いて説明する。なお、ロール紙１の内径φＤ２は、ロール紙１の内径φＤ１（図１参照）よりも大きいものとする。
【００２１】
図３は、ペーパーフランジ２の構成の一例を示す断面図であり、ペーパーフランジ２をロール紙１０（内径φＤ２）に装着した状態を示す図である。第２の案内部６は、第１の案内部２ｂの外周に沿って着脱可能である。なお、規制フランジ部２ａおよび第１の案内部２ｂは、図１，２と同様であるため、以下では詳細な説明を省略する。
【００２２】
図３に示すように、規制フランジ部２ａは、ロール紙１０の紙幅方向（Ｘ方向）の動きを規制する。第２の案内部６は、ロール紙１０の内径φＤ２よりも小さい外径を有する円筒形状であり、ロール紙１０の中空部に挿入されている。また、第２の案内部６の内側には、Ｘ方向（中空部の延在方向）に突起部６ｂが延在している（図４参照）。
【００２３】
第２の案内部６は、ロール紙１の内側に対向し、かつ第１の案内部２ｂの穴部２ｃに対応する位置に穴部６ａを有しており、当該穴部６ａに対して第２の押付部７が摺動可能に配置されている。すなわち、第２の押付部７は、第１の押付部４に対応する位置に設けられている。第２の押付部７には、ロール紙１０の内側と当接する位置に第２の保持部７ａが貼付されている。バネ８は、一端が第２の案内部６に接続され、他端が第２の押付部７に接続されている。第２の押付部７はバネ８によって支持され、バネ８の付勢力によってＺ方向であって第２の案内部６の内側に向かって付勢されている（図４，５参照）。また、第２の案内部６は、端部（第２の案内部６を第１の案内部２ｂに装着したときの、ペーパーフランジ２とは反対側の端部）の外周に沿って形成された凹部６ｃを有している（図６参照）。第２の押付部７は、第１の押付部４に連動してＺ方向に移動可能となっている。
【００２４】
一対の第２の押付部７がＺ方向の最も外側に位置するとき、当該一対の第２の押付部７間の長さ（各第２の押付部７の第２の保持部７ａ間の長さ）は、ロール紙１０の内径φＤ２よりも大きい。換言すれば、一対の第２の押付部７の各々は、当該一対の第２の押付部７間の長さが内径φＤ２よりも大きい位置まで移動可能である。なお、一対の第１の押付部４が圧縮バネ５の付勢力によってＺ方向の最も外側に位置するときにおける、当該一対の第１の押付部４間の長さは、ロール紙１０の内径φＤ２に満たない。
【００２５】
リング９は、第２の案内部６の凹部６ｃに外周方向に回転自在に設けられており（図３，４，８，９参照）、内側に突起部９ａを有している（図７参照）。
【００２６】
＜動作＞
まず、ペーパーフランジ２をロール紙１に装着する際の動作について説明する。
【００２７】
ロール紙１に装着する前のペーパーフランジ２は、一対の第１の押付部４間の長さが、ロール紙１の内径φＤ１よりも大きい状態となっている。従って、ペーパーフランジ２をロール紙１に装着する際、ユーザは、レバー３の他端３ｂをＺ方向であって互いに近づける方向（図１の矢印方向）に付勢し（例えば、指でレバー３の他端３ｂを挟むように付勢し）、一対の第１の押付部４間の長さが内径φＤ１よりも小さくした状態でロール紙１の中空部に挿入する。
【００２８】
ペーパーフランジ２をロール紙１の中空部に挿入した後、ユーザがレバー３の他端３ｂに対する付勢を解除する（例えば、レバー３の他端３ｂに付勢していた指を離す）と、圧縮バネ５の付勢力によって第１の押付部４がＺ方向の外側に移動し、第１の押付部４の第１の保持部４ａがロール紙１の内側に当接する。すなわち、第１の押付部４は、ロール紙１を中空部の内側から保持する。これにより、ロール紙１は、ペーパーフランジ２に装着（保持）された状態となる。
【００２９】
その後、ロール紙１を装着したペーパーフランジ２をプリンタ（図示せず）に取り付けることによって、プリンタからの駆動力を、ペーパーフランジ２を介してロール紙１に伝達することができる。
【００３０】
次に、ペーパーフランジ２をロール紙１０に装着する際の動作について説明する。
【００３１】
まず、図２に示すペーパーフランジ２の案内部２ｂに、図４に示す第２の案内部６を装着する。このとき、第２の案内部６の突起部６ｂと、第１の案内部２ｂの溝部２ｅとが嵌合する。これにより、第２の案内部６は、外周方向が位置決めされた状態となる。
【００３２】
第２の案内部６を第１の案内部２ｂにおける予め定められた位置に装着した後、リング９を外周方向に捻り、リング９の突起部９ａを第１の案内部２ｂの溝部２ｆに嵌める。これにより、第２の案内部６は、Ｘ方向が位置決めされた状態となる。すなわち、リング９は、第１の案内部２ｂに対する第２の案内部６の、Ｘ方向の動きを規制する規制部としての機能を有している。また、リング９は、第２の案内部６が第１の案内部２ｂから抜けることを防止する。
【００３３】
第１の案内部２ｂに第２の案内部６が装着された状態において、第２の押付部７は、第１の押付部４と当接する。圧縮バネ５は、バネ８よりも付勢力が強い。従って、第１の案内部２ｂに第２の案内部６を装着すると、第２の案内部６は、Ｚ方向の外側に向かって付勢された状態となる。
【００３４】
ロール紙１０に装着する前のペーパーフランジ２は、一対の第２の案内部６間の長さが、ロール紙１０の内径φＤ２よりも大きい状態となっている。従って、ペーパーフランジ２をロール紙１０に装着する際、ユーザは、レバー３の他端３ｂを互いに近づける方向（図３の矢印方向）に付勢し（例えば、指でレバー３の他端３ｂを挟むように付勢し）、一対の第２の案内部６間の長さが内径φＤ２よりも小さくした状態でロール紙１０の中空部分に挿入する。
【００３５】
ペーパーフランジ２をロール紙１０の中空部に挿入した後、ユーザがレバー３の他端３ｂに対する付勢を解除する（例えば、レバー３の他端３ｂに付勢していた指を離す）と、圧縮バネ５の付勢力によって第１の押付部４がＺ方向の外側に移動し、それに連動して第２の押付部７もＺ方向の外側に移動し、第２の保持部７ａがロール紙１０の内側に当接する。すなわち、第２の押付部７は、第１の押付部４がロール紙１を保持する付勢力に連動してロール紙１０を保持する。これにより、ロール紙１０は、ペーパーフランジ２に装着（保持）された状態となる。
【００３６】
その後、ロール紙１０を装着したペーパーフランジ２をプリンタ（図示せず）に取り付けることによって、プリンタからの駆動力を、ペーパーフランジ２を介してロール紙１０に伝達することができる。
【００３７】
以上のことから、本実施の形態によれば、第２の案内部６を第１の案内部２ｂに装着したときに、第２の案内部６に設けられた第２の押付部７が、第１の案内部２ｂに設けられた第１の押付部４に対応する位置となるようにし、第２の押付部７は第１の押付部４に連動するため、第２の案内部６の着脱という極めて簡単な動作によって異なる内径を有する２つのロール紙を使用することができる。すなわち、簡単な構成で使い勝手が良く、かつ異なる内径を有するロール紙に対応可能となる。
【００３８】
なお、本発明は、その発明の範囲内において、実施の形態を適宜、変形、省略することが可能である。
【符号の説明】
【００３９】
１  ロール紙、２  ペーパーフランジ、２ａ  規制フランジ部、２ｂ  第１の案内部、２ｃ  穴部、２ｄ  凹部、２ｅ  溝部、２ｆ  溝部、３  レバー、３ａ  一端、３ｂ  他端、４  第１の押付部、４ａ  第１の保持部、５  圧縮バネ、６  第２の案内部、６ａ  穴部、６ｂ  突起部、６ｃ  凹部、７  第２の押付部、７ａ  第２の保持部、８  バネ、９  リング、９ａ  突起部、１０  ロール紙。
【図１】
0006463140.tif 000002
【図２】
0006463140.tif 000003
【図３】
0006463140.tif 000004
【図４】
0006463140.tif 000005
【図５】
0006463140.tif 000006
【図６】
0006463140.tif 000007
【図７】
0006463140.tif 000008
【図８】
0006463140.tif 000009
【図９】
0006463140.tif 000010